(57)【要約】【課題】ユーザ所望の圧縮方式のデータを即座に提供する記録再生装置を提供する。【解決手段】チューナ１１を介して入力する映像信号または音声信号の圧縮方式を異なる圧縮方式の信号に変換するトランスコード部８と、トランスコード部にて変換された映像信号または音声信号を、入力する映像信号または音声信号とともに記録媒体２に記録する記録再生部６とを備える。記録再生部６は、圧縮方式の異なる同一の映像信号または音声信号については、一方の映像信号または音声信号を隠しファイルとして記録媒体２に格納する。【選択図】図１
2008027472.tif 000002
【特許請求の範囲】
【請求項１】
圧縮された映像信号または音声信号を記録媒体に記録再生する記録再生装置において、
入力する映像信号または音声信号の圧縮方式を異なる圧縮方式の信号に変換するトランスコード部と、
該トランスコード部にて変換された映像信号または音声信号を、上記入力する映像信号または音声信号とともに上記記録媒体に記録する記録再生部とを備え、
上記記録再生部は、圧縮方式の異なる同一の映像信号または音声信号については、一方の映像信号または音声信号を隠しファイルとして上記記録媒体に格納することを特徴とする記録再生装置。
【請求項２】
請求項１記載の記録再生装置において、
第１の映像圧縮方式で圧縮した映像信号と第１の音声圧縮方式で圧縮した音声信号が多重化されたデジタル放送信号を受信するチューナと、
映像信号と音声信号を多重化して映像音声ストリーム信号を生成する多重化部と、
映像音声ストリーム信号を映像信号と音声信号に分離する分離部とを備え、
上記チューナで受信したデジタル放送信号を上記分離部で映像信号と音声信号に分離し、
該分離した映像信号と音声信号を前記トランスコード部によりそれぞれ第２の映像圧縮方式の映像信号と第２の音声圧縮方式の音声信号に変換し、
上記第１の音声圧縮方式の音声信号と上記第２の音声圧縮方式の音声信号のいずれか一方と上記第２の映像圧縮方式の映像信号とを上記多重化部で多重化して映像音声ストリーム信号を生成し、
前記記録再生部は、上記多重化部で生成した映像音声ストリーム信号を前記記録媒体に格納するとともに、上記多重化部で多重化しなかった他方の音声信号を隠しファイルとして前記記録媒体に格納することを特徴とする記録再生装置。
【請求項３】
請求項２記載の記録再生装置において、
前記記録再生部により前記記録媒体に格納されている前記映像音声ストリーム信号と隠しファイルである音声信号を再生し、
該映像音声ストリーム信号を前記分離部で映像信号と音声信号に分離し、
該分離した映像信号と隠しファイルから読み出した上記音声信号を前記多重化部で多重化して新たな映像音声ストリーム信号を生成し、
前記記録再生部により前記記録媒体に上記新たに生成した映像音声ストリーム信号を格納するとともに、上記分離した音声信号を隠しファイルとして前記記録媒体に格納することを特徴とする記録再生装置。
【請求項４】
請求項２記載の記録再生装置において、
前記記録再生部は、前記記録媒体に格納している映像音声ストリーム信号を削除するとき、隠しファイルとして格納されている対応する音声信号を含めて削除することを特徴とする記録再生装置。
【請求項５】
請求項２記載の記録再生装置において、
前記記録媒体として、第１の記録媒体と第２の記録媒体が使用可能であり、
前記記録再生部により、前記チューナで受信したデジタル放送信号を一旦上記第１の記録媒体に格納し、
引き続き該第１の記録媒体に格納したデジタル放送信号を読み出して、前記分離部、前記トランスコード部、前記多重化部にて映像音声ストリーム信号を生成し、
前記記録再生部は、生成した該映像音声ストリーム信号を上記第２の記録媒体に格納するとともに、上記第１の記録媒体に格納したデジタル放送信号を削除することを特徴とする記録再生装置。
【発明の詳細な説明】
【技術分野】
【０００１】
本発明は、記録媒体に映像・音声信号等を圧縮して記録し再生する記録再生装置に関する。
【背景技術】
【０００２】
デジタル放送の映像・音声信号を記録する大容量光ディスク記録媒体として、ＤＶＤより短波長（４０５ｎｍ）のレーザで記録再生するＢＤ（Ｂｌｕ−ｒａｙ  Ｄｉｓｃ）やＨＤ（Ｈｉｇｈ−Ｄｅｆｉｎｉｔｉｏｎ）−ＤＶＤの採用が予定されている。
【０００３】
ＢＤ媒体を利用した映像・音声の記録に関しては、すでに次の規格が制定されている。リライタブルメディア向けのアプリケーションフォーマットとしては、ＢＤＡＶ（ＢＤ  Ａｕｄｉｏ／Ｖｉｓｕａｌ）フォーマットと呼ばれる規格が制定されている。このフォーマットでは、デジタル放送規格に準拠したストリーム形式を採用しており、また編集機能が充実しているため、放送された番組を記録するのに向いた仕様となっている。ＢＤＡＶ方式では、受信したデジタル放送をそのままの圧縮方式（符号化方式）にてＢＤ媒体に記録する。すなわち、映像信号はＭＰＥＧ２方式、音声信号はＡＡＣ（Ａｄｖａｎｃｅｄ  Ａｕｄｉｏ  Ｃｏｄｉｎｇ）方式で受信し、そのままＢＤ媒体に記録する。
【０００４】
一方、ＢＤ媒体を用いたリードオンリーメディア向けのアプリケーションフォーマットとしては、ＢＤＭＶ（ＢＤ  ＭｏＶｉｅ）フォーマットと呼ばれる規格が制定されている。このフォーマットでは、充実したインタラクティブメニューなどが実現可能であり、また、ピクチャインピクチャ機能やＨ．２６４規格などの高圧縮ストリームに対応するなど、従来のＤＶＤ−Ｖｉｄｅｏと比較すると、高機能な仕様となっている。すなわちＢＤＭＶ方式では、映像信号はＨ．２６４方式、音声信号はＡＣ３（Ａｕｄｉｏ  Ｃｏｄｅ  ｎｕｍｂｅｒ  ３）方式にて圧縮されて記録されている。
【０００５】
このように同一ＢＤ媒体を用いて複数の圧縮符号化方式が採用されると、相互の圧縮方式の変換が必要になる。圧縮方式の変換（トランスコード）については、より高速にかつ効率的に実行することが要求される。例えば特許文献１には、製品コストを招致することなく、１倍速を超える素材（映像／音声データ）転送を実現しながら圧縮方式を変換する技術が提案されている。ここでは、１倍速を超える転送レートで入力される圧縮素材をそのまま媒体に記録した後、媒体へのアクセス空き時間を利用して媒体から再生し、１倍速で他の圧縮方式に変換し媒体に再記録するものである。
【０００６】
【特許文献１】特開２００１−１１０１２５号公報
【発明の開示】
【発明が解決しようとする課題】
【０００７】
今後上述した圧縮方式のみならず新たな方式が追加され、また、映像信号と音声信号の圧縮方式の組み合わせも多様化することが予想される。よって、ユーザの必要とする圧縮方式も多様化し、それに従った信号（データ）を迅速に提供しなければならない。そのような場合、特許文献１に記載のトランスコード技術では、アクセス空き時間を利用したトランスコードと再記録を前提とするため、そのための処理時間が別途必要になる。トランスコード処理のタイミングが遅れると、ユーザの所望する方式のデータを、迅速に提供できない場合が発生する。また、ユーザにとっては圧縮方式変換は煩わしい作業であり、ユーザが特に意識することなく、方式変換が自動的に実行されることが望ましい。
【０００８】
本発明の目的は、ユーザ所望の圧縮方式のデータを即座に提供する記録再生装置を提供することである。
【課題を解決するための手段】
【０００９】
本発明による記録再生装置は、入力する映像信号または音声信号の圧縮方式を異なる圧縮方式の信号に変換するトランスコード部と、トランスコード部にて変換された映像信号または音声信号を、入力する映像信号または音声信号とともに記録媒体に記録する記録再生部とを備える。記録再生部は、圧縮方式の異なる同一の映像信号または音声信号については、一方の映像信号または音声信号を隠しファイルとして記録媒体に格納する。
【００１０】
さらに本発明の記録再生装置は、第１の映像圧縮方式で圧縮した映像信号と第１の音声圧縮方式で圧縮した音声信号が多重化されたデジタル放送信号を受信するチューナと、映像信号と音声信号を多重化して映像音声ストリーム信号を生成する多重化部と、映像音声ストリーム信号を映像信号と音声信号に分離する分離部とを備える。そして、チューナで受信したデジタル放送信号を分離部で映像信号と音声信号に分離し、分離した映像信号と音声信号をトランスコード部によりそれぞれ第２の映像圧縮方式の映像信号と第２の音声圧縮方式の音声信号に変換し、第１の音声圧縮方式の音声信号と第２の音声圧縮方式の音声信号のいずれか一方と第２の映像圧縮方式の映像信号とを多重化部で多重化して映像音声ストリーム信号を生成し、記録再生部は、多重化部で生成した映像音声ストリーム信号を記録媒体に格納するとともに、多重化部で多重化しなかった他方の音声信号を隠しファイルとして記録媒体に格納する。
【００１１】
また本発明の記録再生装置では、記録再生部により記録媒体に格納されている映像音声ストリーム信号と隠しファイルである音声信号を再生し、映像音声ストリーム信号を分離部で映像信号と音声信号に分離し、分離した映像信号と隠しファイルから読み出した音声信号を多重化部で多重化して新たな映像音声ストリーム信号を生成し、記録再生部により記録媒体に新たに生成した映像音声ストリーム信号を格納するとともに、分離した音声信号を隠しファイルとして記録媒体に格納する。
【発明の効果】
【００１２】
本発明によれば、ユーザは方式変換を意識することなく所望の方式のデータを即時に取得することができる。
【発明を実施するための最良の形態】
【００１３】
以下、図面を用いて本発明の実施に好適な実施形態の例を説明する。実施例では映像信号の圧縮方式としてＭＰＥＧ２とＨ．２６４、音声信号の圧縮方式としてＡＡＣとＡＣ３を例に説明するが、本発明はこれに限定するものではない。
【００１４】
図１は、本発明による記録再生装置の一実施例を示すブロック図である。記録再生装置１は、デジタル放送を受信して得た映像・音声信号、またはカメラ等の外部機器から入力した映像・音声信号を光ディスクなどの記録媒体２に所定の圧縮符号化方式で記録し、また記録媒体２から映像・音声信号を再生して所望の圧縮方式の信号として出力する。
【００１５】
記録媒体２はＢＤなどの書き換え可能光ディスクであり、ＢＤＡＶ形式やＢＤＭＶ形式やあるいはそれらを組み合わせた形式で映像・音声信号を高品質に記録する。制御部３は、装置全体の制御を司り、エンコーダ／デコーダ部８の設定やドライブ６のリード／ライト（Ｒ／Ｗ）制御を行う。メモリ４は、制御部３のワーク領域として使用するＳＤＲＡＭなどのワークメモリである。トラックバッファ５は、ドライブ６へのＲ／Ｗのためのバッファメモリであり、ＳＤＲＡＭなどの大容量メモリで構成される。ドライブ６は、媒体２を駆動しデータの記録再生を行う。ピックアップ７はドライブ６に内蔵され、ディスク媒体２にレーザ光を照射し、信号のＲ／Ｗを行う。
【００１６】
エンコーダ／デコーダ（トランスコード）部８は、外部から入力した映像・音声信号を圧縮符号化（エンコード）し、また媒体２から再生した信号を伸長復号化（デコード）する。さらに、デジタル放送から受信した映像・音声信号や、媒体２から読み出したデータを異なる圧縮方式に変換（トランスコード）する機能を有する。入力部９は、装置１の外部からアナログ映像音声信号を入力する。出力部１０は、装置１の外部へアナログ映像音声信号を出力する。チューナ１１はデジタル放送を受信し、映像音声多重化信号（以下、ストリーム信号）を装置１へ入力する。分離部１２は、チューナ１１からのストリーム信号、または媒体２から再生したストリーム信号を映像信号と音声信号に分離する。多重化部１３は、映像信号と音声信号を多重化してストリーム信号を生成する。ユーザインタフェース（Ｉ／Ｆ）１４は、ユーザの操作ボタンやＦＬ表示管、リモコン受光部であり、ユーザからの指示を受け付けるとともに、ユーザへの通知情報を表示する。
【００１７】
まず、本実施例の装置における映像・音声信号の圧縮符号化方式（以下、単に方式とも呼ぶ）の変換処理の概要について説明する。
【００１８】
本実施例の装置では、チューナで受信したストリーム信号を分離し、映像信号（Ｖ１）と音声信号（Ａ１）についてそれぞれ所定の方式にトランスコードして映像信号（Ｖ２）と音声信号（Ａ２）を得る。そして、トランスコードした映像信号（Ｖ２）と分離した音声信号（Ａ１）を多重化してストリーム信号（Ｖ２／Ａ１）として媒体２に記録するとともに、トランスコードした音声信号（Ａ２）を隠しファイルとして合わせて媒体２に記録する。
【００１９】
媒体２に記録しているストリーム信号の方式を変換するときは、媒体２からこれらの信号を再生し、ストリーム信号（Ｖ２／Ａ１）から映像信号（Ｖ２）と音声信号（Ａ１）を分離して、映像信号（Ｖ２）と隠しファイルである音声信号（Ａ２）を多重化することで、異なるストリーム信号（Ｖ２／Ａ２）に変換する。変換したストリーム信号（Ｖ２／Ａ２）は新たに隠しファイルとする音声信号（Ａ１）とともに媒体２に記録する。
【００２０】
あるいは、チューナで受信したストリーム信号を分離し、映像信号（Ｖ１）と音声信号（Ａ１）についてそれぞれ所定の方式にトランスコードして映像信号（Ｖ２）と音声信号（Ａ２）を得る。そして、トランスコードした映像信号（Ｖ２）とトランスコードした音声信号（Ａ２）を多重化してストリーム信号（Ｖ２／Ａ２）として媒体２に記録するとともに、分離した音声信号（Ａ１）を隠しファイルとして合わせて媒体２に記録する。
【００２１】
このように、音声信号については受信した同一の信号（コンテンツ）を異なる２つの方式（Ａ１，Ａ２）でともに記録する。よって、ストリーム信号の方式変換が必要なとき、媒体から必要な方式の信号を再生して、これを多重化することで即座に変換することが可能となる。
【００２２】
また本実施例では、媒体内に記録する２つの音声信号（Ａ１，Ａ２）の一方は、隠しファイルとして格納する。すなわち音声信号の属性情報には隠しファイルであることを記述する。そして媒体上のストリーム信号を削除する場合は、対応する隠しファイルの音声信号も同時に削除する。一方を隠しファイルに格納することで、ユーザはあたかも１個のファイルしか存在しないように見える。つまりユーザは、隠しファイルを意識する必要がなく、また隠しファイルに対し何らかの変更を加えることができない。
【００２３】
次に、本実施例の装置を用いた映像・音声信号の方式変換処理の例を図２〜図４で説明する。
【００２４】
図２は、デジタル放送を受信し、映像をＨ．２６４方式、音声をＡＡＣ方式にて媒体に記録する場合である。受信するデジタル放送は、映像信号はＭＰＥＧ２方式、音声信号はＡＡＣ方式で圧縮符号化されている。分離部１２でこれらを分離し、映像信号（Ｖ１）はトランスコード部８ｖにてＨ．２６４方式の信号（Ｖ２）に変換する。音声信号（Ａ１）は分岐部１５で２系統に分岐させ、一方はそのまま（Ａ１）とし、他方はトランスコード部８ａにてＡＣ３方式（Ａ２）に変換する。多重化部１３ではＨ．２６４方式に変換した映像信号（Ｖ２）と分岐部１５からの音声信号（Ａ１）とを多重化する。そして媒体に、多重化したストリーム信号（映像：Ｈ．２６４方式、音声：ＡＡＣ方式）を記録するとともに、トランスコード部８ａでＡＣ３方式に変換した音声信号（Ａ２）を隠しファイルとして記録する。
【００２５】
図３は、媒体に記録したストリーム信号を、映像をＨ．２６４方式、音声をＡＣ３方式に変換する場合である。媒体からストリーム信号（映像：Ｈ．２６４方式、音声：ＡＡＣ方式）を再生し、分離部１２で映像信号（Ｖ２）と、音声信号（Ａ１）とに分離する。音声信号（Ａ１）は隠しファイルとして媒体に再度保存する。一方、媒体に隠しファイルとして保存していたＡＣ３方式の音声信号（Ａ２）を再生する。そして、多重化部１３で映像信号（Ｖ２）と音声信号（Ａ２）とを多重化して、媒体にストリーム信号（映像：Ｈ．２６４方式、音声：ＡＣ３方式）を記録する。このようにして、ストリーム信号の音声信号をＡＡＣ方式からＡＣ３方式に変換する。この場合、音声信号の変換にあたり、予め作成しておいたＡＣ３方式の音声信号を用いることができる。よって、トランスコード部による変換処理は不要であり、迅速な変換が可能になる。また、分離部１２で分離した音声信号（Ａ１）は、捨てずに隠しファイルとして保存する。これにより、元の方式であるＡＡＣ方式に戻す場合（相互変換）でも、同様に即座に変換が可能となる。
【００２６】
また、図２と図３の処理は連続して行うことができる。その結果、受信したデジタル放送を、映像をＨ．２６４方式、音声をＡＣ３方式に変換して媒体に記録することができる。
【００２７】
図４は、デジタル放送を受信し、映像をＨ．２６４方式、音声をＡＣ３方式にて媒体に直接記録する場合である。映像信号をＨ．２６４方式（Ｖ２）に変換し、音声信号を２系統に分岐して一方をＡＣ３方式（Ａ２）に変換するまでは、前記図２と同様である。ここでは、ＡＣ３方式に変換した音声信号（Ａ２）を用いて多重化部１３で多重化し、そのストリーム信号を媒体に記録する。そして、分岐部１５からの音声信号（Ａ１）は隠しファイルとして媒体に記録する。このような媒体を用いれば、上記と同様の理由で、音声信号をＡＣ３方式からＡＡＣ方式に容易に変換することができる。
【００２８】
図５は、上記図２の信号処理の流れを示すフローチャートである。デジタル放送を受信すると、媒体への記録処理を開始する（Ｓ１０１）。チューナ１１から入力したストリーム信号を、分離部１２にて映像信号と音声信号とに分離し（Ｓ１０２）、処理する信号が映像信号か音声信号かを判別する（Ｓ１０３）。映像信号については、トランスコード部８ｖにて、ＭＰＥＧ２方式からＨ．２６４方式に変換し（Ｓ１０４）、ビデオバッファ５ｖに格納する（Ｓ１０５）。また、音声信号は２系統に分岐する（Ｓ１０７）。系統１はオーディオバッファ５ａに格納する（Ｓ１０７）。系統２はトランスコード部８ａにてＡＡＣ方式からＡＣ３方式に変換し（Ｓ１０８）、隠しファイル属性を付与して媒体に記録する（Ｓ１０９）。このようにして、オーディオバッファ５ａとビデオバッファ５ｖには、それぞれ入力する音声信号（ＡＡＣ方式）と映像信号（Ｈ．２６４方式）を格納する。オーディオバッファ５ａに格納した音声信号の容量が閾値を超えるとともに（Ｓ１１０）、ビデオバッファ５ｖに格納した映像信号の容量が閾値を超えると（Ｓ１１１）、多重化部１３にて両者を多重化してストリーム信号として媒体に記録する（Ｓ１１２）。
【００２９】
図６は、上記図３の信号処理の流れを示すフローチャートである。媒体上のストリーム信号の方式を変換する場合は（Ｓ２０１）、ドライブ６を介して媒体１から記録済ストリーム信号を読み出す（Ｓ２０２）。読み出したストリーム信号を分離部１２で映像信号（Ｈ．２６４方式）と音声信号（ＡＡＣ方式）とに分離し（Ｓ２０３）、処理する信号が映像信号か音声信号かを判別する（Ｓ２０４）。映像信号については、ビデオバッファ５ｖに格納する（Ｓ２０５）。音声信号については、対応するＡＣ３方式の隠しファイルが媒体に存在するかを調べる（Ｓ２０６）。存在すれば、媒体からＡＣ３方式の音声ファイルを読み出して、オーディオバッファ５ａに格納する（Ｓ２０７）。もしＡＣ３方式の隠しファイルが存在しなければ、トランスコード部８ａにてＡＡＣ方式からＡＣ３方式へ変換し（Ｓ２０８）、オーディオバッファ５ａに格納する（Ｓ２０９）。また、分離した音声信号（ＡＡＣ方式）は媒体の隠しファイルに格納する（Ｓ２１０）。このようにして、オーディオバッファ５ａとビデオバッファ５ｖには、それぞれ音声信号（ＡＣ３方式）と映像信号（Ｈ．２６４方式）を格納する。オーディオバッファ５ａに格納した音声信号の容量が閾値を超えるとともに（Ｓ２１１）、ビデオバッファ５ｖに格納した映像信号の容量が閾値を超えると（Ｓ２１２）、多重化部１３にて両者を多重化してストリーム信号として媒体に記録する（Ｓ２１３）。
【００３０】
次に、本実施例における媒体上のファイル構成について説明する。
図７は、ＢＤ媒体上に記録された隠しファイルを含むファイル構成（ＢＤＡＶ形式）の一例を示す図である。図７（ａ）（ｂ）は、多重化したストリームファイルと隠しファイルである音声ファイル（ＡＣ３方式）を格納する２つの例を示し、図７（ｃ）（ｄ）はこれらを削除する場合を示す。
【００３１】
ＢＤＡＶ形式において、ルートディレクトリ「ｒｏｏｔ」は、ＢＤの最上位のディレクトリであり、サブディレクトリ「ＢＤＡＶ」を含む。「ＢＤＡＶ」は、直下にあるサブディレクトリであり、「ＰＬＡＹＬＩＳＴ」、「ＣＬＩＰＩＮＦ」、「ＳＴＲＥＡＭ」などのサブディレクトリを含む。「ＰＬＡＹＬＩＳＴ」は、プレイリストファイルを含むディレクトリである。「ＣＬＩＰＩＮＦ」は、クリップインフォメーションファイルを含むディレクトリである。「ＳＴＲＥＡＭ」は、ＡＶストリームファイルを含むディレクトリである。
【００３２】
（ａ）の例では、本実施例における多重化したストリームファイル「０００００．ｍ２ｔｓ」は、サブディレクトリ「ＳＴＲＥＡＭ」に格納され、ＭＰＥＧ２トランスポートストリーム（ＩＳＯ／ＩＥＣ  １３８１８−１）形式であることを示す。また、音声ファイル「０００００．ａｃ３」もサブディレクトリ「ＳＴＲＥＡＭ」に格納され、隠し属性ＯＮ（すなわち画面には表示されない）とされている。
【００３３】
（ｂ）の例では、ストリームファイル「０００００．ｍ２ｔｓ」は、サブディレクトリ「ＳＴＲＥＡＭ」に格納する。音声ファイル「０００００．ａｃ３」は、ルートディレクトリ「ｒｏｏｔ」直下の別のフォルダ「ＡＣ３」に格納する。この場合も、隠し属性ＯＮ（すなわち画面には表示されない）とされている。なお、フォルダ「ＡＣ３」が存在しないときは、新規にフォルダを作成した後にファイルを格納する。
【００３４】
（ｃ）は上記（ａ）の構成においてストリームファイル「０００００．ｍ２ｔｓ」を削除する場合であるが、ストリームファイル「０００００．ｍ２ｔｓ」を削除する（図では取消線で示す）だけでなく、これに対応する隠し音声ファイル「０００００．ａｃ３」も削除する。
【００３５】
（ｄ）は、上記（ｂ）の構成においてストリームファイル「０００００．ｍ２ｔｓ」を削除する場合であるが、同様に隠し音声ファイル「０００００．ａｃ３」も削除する。なお、フォルダ「ＡＣ３」が空になる場合には、フォルダ「ＡＣ３」も削除する。
【００３６】
このようにデジタル放送から記録したストリームファイルを媒体から消去するとき、対応する隠しファイルも一緒に消去することで、ディスク媒体の容量の節約になる。また記録したストリームファイルが著作権保護の対象物である場合は、隠しファイルを含めて消去することで、著作権保護を確実に実行することができる。
【００３７】
上記実施例では、記録媒体として光ディスク（ＢＤ）を用いる場合を説明したが、記録媒体はこれに限定するものではない。
例えば、図８に示すようなハードディスク媒体（ハードディスクドライブＨＤＤ１７）を併用する記録再生装置においては、ＢＤ媒体とＨＤＤ媒体を連携して記録することができる。この場合、ＢＤ媒体へ記録する場合と同様ＨＤＤ媒体へ記録する際も、著作権保護の処理が必要である。そのためにここでは、暗号復号部１６を経由して記録および再生を行う。
【００３８】
また、図９に示すように、外部機器Ｉ／Ｆ１８を備える記録再生装置として、例えばＵＳＢ（Ｕｎｉｖｅｒｓａｌ  Ｓｅｒｉａｌ  Ｂｕｓ）接続を持つような外部ストレージ機器に対して記録再生を行う。外部ストレージ機器としては、ＨＤＤ媒体１９だけでなく、光ディスクストレージであるＢＤ媒体および半導体ストレージであるＳＤカードやフラッシュメモリを用いるものが可能であり、これらと連携して記録することができる。また、他のＨＤＤレコーダやＨＤＤビデオカメラに内蔵されたＨＤＤなどの記録媒体を外部ストレージ機器として認識させる場合も、同様に処理可能である。
【００３９】
図１０は、デジタル放送信号を複数の媒体を用いて記録する各種形態を説明する図である。デジタル放送は映像信号はＭＰＥＧ２方式（＝Ｖ１）、音声信号はＡＡＣ方式（＝Ａ１）とする。また、ＢＤ媒体に記録する映像信号はＨ．２６４方式（＝Ｖ２）、音声信号はＡＡＣ方式（＝Ａ１）あるいはＡＣ３方式（＝Ａ２）とする。
【００４０】
図１０（ａ）は、ＢＤ媒体２０に直接記録する場合で、前記図２の処理に従う。変換処理によりＢＤ媒体２０にはストリーム信号（Ｖ２／Ａ１）と隠しファイルである音声信号Ａ２を記録する。
【００４１】
図１０（ｂ）は、ＨＤＤ２１からＢＤ媒体２０にダビング記録（ムーブ）する場合である。デジタル放送ストリーム（Ｖ１／Ａ１）を、一旦そのままＨＤＤ２１に記録する。その後、ＨＤＤからストリームを読み出して変換処理を行い、ＢＤ媒体２０にはストリーム信号（Ｖ２／Ａ１）と隠しファイルである音声信号Ａ２をムーブする。この場合にはムーブの規定に従い、ＨＤＤ２１に一旦記録したストリーム信号は消去する。ＨＤＤを用いることで、高速に転送されるデジタル放送にも十分対応することができる。
【００４２】
図１０（ｃ）も、ＨＤＤ２１からＢＤ媒体２０にダビング記録（ムーブ）する場合である。この場合は、デジタル放送ストリームの変換処理を行い、ＨＤＤ２１にはストリーム信号（Ｖ２／Ａ１）と隠しファイルである音声信号Ａ２を記録する。その後、ＨＤＤ２１からＢＤ媒体２０にムーブする（ムーブ１）。その際、隠しファイルである音声信号Ａ２も隠しファイルのまま記録する。この場合にもムーブの規定に従い、ＨＤＤ２１に一旦記録したストリーム信号と隠しファイルを消去する。
【００４３】
図１０（ｄ）は、上記図１０（ｃ）にてＢＤ媒体２０に格納するストリーム信号（Ｖ２／Ａ１）をストリーム信号（Ｖ２／Ａ２）に変更する場合であり、２通りの変換方法が可能である。図１０（ｃ）にてストリーム信号（Ｖ２／Ａ１）がＨＤＤ２１に残存していれば、これを隠しファイルである音声信号Ａ２とともに読み出し、音声信号Ａ１、Ａ２を入れ替えてストリーム信号（Ｖ２／Ａ２）を生成し、ＢＤ媒体２０へムーブする（ムーブ２）。あるいは図１０（ｃ）にてストリーム信号（Ｖ２／Ａ１）がＢＤ媒体２０へムーブした後であれば、これを隠しファイルである音声信号Ａ２とともに読み出し、同様に音声信号Ａ１、Ａ２を入れ替えてストリーム信号（Ｖ２／Ａ２）を生成し、ＢＤ媒体２０へ記録する。
【００４４】
このように、ＨＤＤ２１を併用することで変換処理途中のストリーム信号を一時保存し、要求された方式の信号を効率良く生成してＢＤ媒体に格納することが可能になる。
【００４５】
上記実施例では、音声信号を２通りの方式で媒体に記録するようにしたが、３通り以上の複数方式に変換して全て媒体に記録しても良い。そのようにすれば、多様化する圧縮方式に良く対応することができる。なおその場合にも、１個の方式（ファイル）以外は隠しファイルとして格納する。
【００４６】
隠しファイルとして処理することにより、ユーザの処理が簡単になるとともに、著作権保護を図る上でも有効である。さらに、ファイルに暗号化処理を施すようにすれば、著作権保護はより一層確実になる。
【００４７】
上記実施例では、映像信号についてはその容量を考慮し、媒体に記録する方式は１通りのみとした。しかしながら、媒体の容量が許せば複数の方式の映像信号を格納して、迅速な方式変換を実現できることは勿論である。
【００４８】
また上記実施例では、デジタル放送からストリーム信号を入力する場合を示したが、入力信号源は特に限定するものでない。例えば図１１で示すように、カメラのＣＣＤ（Ｃｈａｒｇｅ−Ｃｏｕｐｌｅｄ  Ｄｅｖｉｃｅｓ）センサ２２で受像した映像信号とカメラのマイク２３で収音した音声信号を、ＤＳＰ（Ｄｉｇｉｔａｌ  Ｓｉｇｎａｌ  Ｐｒｏｃｅｓｓｏｒ）２４を経由して入力して、これを所定の圧縮方式でエンコードして媒体に記録する場合にも、同様に適用できる。
【００４９】
また上記実施例では、デジタルチューナを１系統のみ搭載する場合を示したが、入力信号源の数は特に限定するものでない。例えば図１２に示すように、２系統のデジタルチューナ１１ａ，１１ｂを搭載した構成でも、デジタル放送受信後の処理を２系統時分割して行うことにより、同様に適用できる。３系統以上の場合でも同様である。
【００５０】
本実施例によれば、媒体に記録される映像・音声信号の圧縮方式をユーザが意識することなく、媒体に所望の方式で格納することができる。また、ユーザの要求に応じて、媒体から所望の方式に変換した信号を即座に取得することができる。
【図面の簡単な説明】
【００５１】
【図１】本発明による記録再生装置の一実施例を示すブロック図。
【図２】本実施例による映像・音声信号の方式変換処理（Ｈ．２６４方式、ＡＡＣ方式）の例。
【図３】本実施例による映像・音声信号の方式変換処理（Ｈ．２６４方式、ＡＣ３方式に変換）の例。
【図４】本実施例による映像・音声信号の方式変換処理（Ｈ．２６４方式、ＡＣ３方式）の例。
【図５】図２の信号処理の流れを示すフローチャート。
【図６】図３の信号処理の流れを示すフローチャート。
【図７】ＢＤ媒体上でのファイル構成（ＢＤＡＶ形式）の一例を示す図。
【図８】本発明による記録再生装置の他の実施例を示すブロック図。
【図９】本発明による記録再生装置の他の実施例を示すブロック図。
【図１０】デジタル放送信号を複数の媒体を用いて記録する各種形態を説明する図。
【図１１】本発明による記録再生装置の他の実施例を示すブロック図。
【図１２】本発明による記録再生装置の他の実施例を示すブロック図。
【符号の説明】
【００５２】
１…記録再生装置
２…記録媒体（ＢＤディスク媒体）
３…制御部
４…メモリ
５…トラックバッファ
６…ドライブ
７…ピックアップ
８…エンコーダ／デコーダ部（トランスコード部）
９…入力部
１０…出力部
１１…チューナ
１２…分離部
１３…多重化部
１４…ユーザＩ／Ｆ
１５…分岐部
１６…暗号復号部
１７，１９，２１…ハードディスクドライブ（ＨＤＤ）
１８…外部機器Ｉ／Ｆ
２０…ＢＤ媒体
２２…ＣＣＤセンサ
２３…マイク
２４…ＤＳＰ。
【図１】
2008027472.tif 000003
【図２】
2008027472.tif 000004
【図３】
2008027472.tif 000005
【図４】
2008027472.tif 000006
【図５】
2008027472.tif 000007
【図６】
2008027472.tif 000008
【図７】
2008027472.tif 000009
【図８】
2008027472.tif 000010
【図９】
2008027472.tif 000011
【図１０】
2008027472.tif 000012
【図１１】
2008027472.tif 000013
【図１２】
2008027472.tif 000014